(57)【特許請求の範囲】
【請求項１】
撮影用レンズと，該撮影用レンズによって形成された光学画像を画像データに変換する撮像手段と，該撮像手段から出力された画像データを視認可能に表示する画像表示手段と，前記撮像手段から出力された画像データを記憶する画像データ記憶手段と，前記撮影用レンズから前記撮像手段に至る撮影光路中に配置されていて前記撮像手段から出力された画像データを前記画像表示手段に表示する前記撮影光路を開口した状態と画像データを前記画像データ記憶手段に記憶する前記撮影光路を遮蔽した状態とを切り換えるシャッタ装置と，を備えるデジタルスチルカメラであって，前記シャッタ装置が，レリーズ時には前記撮影光路を開口した初期位置から前記撮影光路を開口した前進限まで一方方向へ走行する過程で前記撮影光路を遮蔽した状態を経過する先羽根と，レリーズ時には前記先羽根が走行を開始してから所定時間経過後に前記撮影光路を開口した初期位置から前記撮影光路を遮蔽した前進限まで前記先羽根のあとから同一方向へ走行する後羽根とを備えていることを特徴とするデジタルスチルカメラ。
【請求項２】
請求項１記載のデジタルスチルカメラにおいて，レリーズ時に前記先羽根が前記撮影光路を遮蔽したことを認識する遮蔽認識手段を具備していて，該遮蔽認識手段の出力信号により，前記撮像手段から出力された画像データを前記画像表示手段に表示する状態から前記画像データ記憶手段に記憶する状態に切り換えるようにしたことを特徴とするデジタルスチルカメラ。
【請求項３】
請求項２記載のデジタルスチルカメラにおいて，
前記遮蔽認識手段が，前記先羽根が前記撮影光路を遮蔽する位置に到達したことを検出するセンサであることを特徴とするデジタルスチルカメラ。
【請求項４】
請求項２記載のデジタルスチルカメラにおいて，
前記遮蔽認識手段が，前記先羽根が走行を開始してから前記撮影光路を遮蔽する位置に到達するのに要する時間が経過したことを検出するタイマであることを特徴とするデジタルスチルカメラ。
【請求項５】
請求項２，請求項３又は請求項４記載のデジタルスチルカメラにおいて，前記遮蔽認識手段の出力を起算点として，前記撮影手段から出力された画像データを前記画像表示手段に表示する状態から前記画像データ記憶手段に対して記憶する動作状態に切り換え，前記撮像手段で得られた画像データを前記画像データ記憶手段に記憶した後は，前記撮像手段から出力された画像データを前記画像表示手段に表示する状態に切り換えることを特徴とするデジタルスチルカメラ。
【請求項６】
請求項１，請求項２，請求項３，請求項４又は請求項５記載のデジタルスチルカメラにおいて，
前記撮影用レンズの着脱を検出するレンズ検出手段を具備し，該レンズ検出手段が前記撮影用レンズの離脱を検出すると前記後羽根を前進限に作動させることを特徴とするデジタルスチルカメラ。
【発明の詳細な説明】
【０００１】
【発明の属する技術分野】
本発明はデジタルスチルカメラに関し，特に，フォーカルプレーンシャッタを備えながら，液晶ファインダ等の画像表示手段に対して撮影画像を表示できる様にしたことを特徴とするデジタルスチルカメラに関する。
【０００２】
【従来の技術】
ＣＣＤ等の撮像手段に投影された被写体画像を電気的に記録する様にしたデジタルスチルカメラが広く普及している。この種のデジタルスチルカメラでは光学ファインダを通過した被写体像を視認する他にデジタル画像を液晶ファインダ等の画像表示手段に表示できる様にすれば，露出効果等を画像表示手段上で予め確認しての撮影が可能となる。又，スチルカメラ用のシャッタの代表的な物としてはレンズシャッタとフォーカルプレーンシャッタが知られているが，特に，レンズ交換の容易さや高速露出秒時に対する適合性等の点ではフォーカルプレーンシャッタが優れており，電子スチルカメラでもフォーカルプレーンシャッタを使用したいという要望があった。
【０００３】
【発明が解決しようとする課題】
しかしながら，一般に従来より知られているフォーカルプレーンシャッタは，撮影用光路を遮蔽した状態にある先羽根を撮影用光路を開口する状態に向けて走行させた後に，撮影用光路を開口した状態にある後羽根を撮影用光路を遮蔽する状態に向けて走行させることにより露光動作を行うものであるので，初期状態においては撮影用光路は先羽根によって遮蔽されており，液晶ファインダ等の画像表示装置をファインダとして使用することができず，結局はミラーやペンタプリズム等を使用した光学ファインダを使用せざるを得ないという問題があった。本発明はこの様な問題点に鑑みてなされたものであり，フォーカルプレーンシャッタを使用しながら液晶ファインダ等の画像表示手段に対して撮影画像を表示できる様にしたデジタルスチルカメラを提供することを目的とする。
【０００４】
【発明を解決するための手段】
請求項１に係るデジタルスチルカメラは：撮影用レンズと，該撮影用レンズによって形成された光学画像を画像データに変換する撮像手段と，該撮像手段から出力された画像データを視認可能に表示する画像表示手段と，該撮像手段から出力された画像データを記憶する画像データ記憶手段と，前記撮影用レンズから前記撮像手段に至る撮影光路中に配置されていて前記撮像手段から出力された画像データを前記画像表示手段に表示する前記撮影光路を開口した状態と画像データを前記画像データ記憶手段に記憶する前記撮影光路を遮蔽した状態とを切り換えるシャッタ装置と，を備えるデジタルスチルカメラを前提として：前記シャッタ装置が，レリーズ時には前記撮影光路を開口した初期位置から前記撮影光路を開口した前進限まで一方方向へ走行する過程で前記撮影光路を遮蔽した状態を経過する先羽根と，レリーズ時には前記先羽根が走行を開始してから所定時間経過後に前記撮影光路を開口した初期位置から前記撮影光路を遮蔽した前進限まで前記先羽根のあとから同一方向へ走行する後羽根とを備えていることを特徴とするものである。請求項１による場合には先羽根は初期位置においては撮影光路を開口した状態に置かれているので，撮像手段は被写界光に露呈されており，撮像手段から出力された画像データを画像表示手段に表示することが可能となる。
【０００５】
請求項２に係るデジタルスチルカメラは：上記を前提として：レリーズ時に前記先羽根が前記撮影光路を遮蔽したことを認識する遮蔽認識手段を具備していて，該遮蔽認識手段の出力信号により，前記撮像手段から出力された画像データを前記画像表示手段に表示する状態から前記画像データ記憶手段に記憶する状態に切り換えるようにしたことを特徴とするものである。又，請求項３に係るデジタルスチルカメラは：請求項２を前提として：前記遮蔽認識手段が，前記先羽根が前記撮影光路を遮蔽する位置に到達したことを検出するセンサであることを特徴とし，請求項４に係るデジタルスチルカメラは請求項２を前提として：前記遮蔽認識手段が，前記先羽根が走行を開始してから前記撮影光路を遮蔽する位置に到達するのに要する時間が経過したことを検出するタイマであることを特徴とするものである。更に，請求項５に記載のデジタルスチルカメラは：請求項２，請求項３又は請求項４記載のデジタルスチルカメラを前提として，前記遮蔽認識手段の出力を起算点として，前記撮影手段から出力された画像データを前記画像表示手段に表示する状態から前記画像データ記憶手段に対して記憶する動作状態に切り換え，前記撮像手段で得られた画像データを前記画像データ記憶手段に記憶した後は，前記撮像手段から出力された画像データを前記画像表示手段に表示する状態に切り換えることを特徴とするものである。本発明では，撮像手段は初期状態では被写界光に露呈されており，撮像手段から出力された画像データを画像表示手段に対して表示することが可能となるとともに，先羽根が初期位置から前進限に向けて走行する過程で撮影光路を遮蔽した状態を経過する。従って，遮蔽認識手段が先羽根が前記撮影光路を遮蔽したことを認識したタイミングを起算点として撮像手段から出力された画像データを前記画像データ記憶手段に転送する動作状態に切り換えれば，通常のフォーカルプレンシャッタと同様の露出制御を行うことが可能となる。
【０００６】
請求項６に係るデジタルスチルカメラは：請求項１，請求項２，請求項３，請求項４又は請求項５記載のデジタルスチルカメラを前提として：前記撮影用レンズの着脱を検出するレンズ検出手段２０を具備し，該レンズ検出手段が前記撮影用レンズの離脱を検出すると前記後羽根を前進限に作動させることを特徴とするものである。即ち，本発明のデジタルスチルカメラは撮像手段は初期状態では被写界光に露呈された状態に置かれているので，レンズ交換等を行う場合には撮像手段を保護することが要望される。そこで，レンズ交換時にはレンズが離脱されるので，レンズの着脱を検出するレンズ検出手段がレンズの離脱を検出したことに基づいて後羽根を前進限に作動させれば撮像手段は後羽根によって遮蔽される。
【０００７】
【発明の実施の形態】
以下図面を参照して本発明の望ましい実施形態を詳細に説明する。図１は本発明のデジタルスチルカメラに使用されるフォーカルプレーンシャッタの平面図であり，図２は図１から先羽根，後羽根及び羽根の連結機構を除外した平面図である。尚，これらの平面図においては内部機構を視認しやすくする為に地板１は一点鎖線で仮想的に示している。図中において２は先羽根であり，先羽根２は初期位置においては地板１に形成された撮影光路ＡＰを開口した状態に置かれている。この先羽根２は前進限まで走行すると撮影光路ＡＰを再び開口するが，初期位置から前進限まで走行する過程で撮影光路ＡＰを遮蔽する状態を通過する。
【０００８】
３，４は先羽根２と連結された先羽根連結レバーであり，先羽根連結レバー３は地板１上の軸１ａに回動自在に軸支されており，先羽根連結レバー４は地板１上の軸１ｂに回動自在に軸支されている。先羽根２は先羽根連結レバー３の先端の軸３ａ及び先羽根連結レバー４の先端の軸４ａによって回転可能にカシメられており，先羽根連結レバー３，４は先羽根２を介在して平行リンクを形成している。従って，先羽根連結レバー３を軸１ａを中心にして時計方向に回転させると先羽根連結レバー４の回転を伴いながら先羽根２は地板１の上下辺に対して平行状態を維持しながら上から下に向かって走行する。
【０００９】
次に，５は後羽根であり，後羽根５は初期位置においては地板１に形成された撮影光路ＡＰを開口した状態に置かれている。この後羽根５は前進限まで走行すると撮影光路ＡＰを遮蔽する。６，７は後羽根５と連結された後羽根連結レバーであり，後羽根連結レバー６は地板１上の軸１ｃに回動自在に軸支されており，後羽根連結レバー７は地板１上の軸１ｄに回動自在に軸支されている。後羽根５は後羽根連結レバー６の先端の軸６ａ及び後羽根連結レバー７の先端の軸７ａによって回転可能にカシメられており，後羽根連結レバー６，７は後羽根５を介在して平行リンクを形成している。従って，後羽根連結レバー６を軸１ｃを中心にして時計方向に回転させると後羽根連結レバー７の回転を伴いながら後羽根５は地板１の上下辺に対して平行状態を維持しながら上から下に向かって走行する。
【００１０】
次に，図２を参照して先羽根連結レバー３及び後羽根連結レバー６に駆動力を与える機構に関して説明する。８は先羽根鉄片レバーであり，先羽根連結レバー３と同じ軸１ａに回動自在に支持されており，スプリング９（図面の煩雑化を避けるため，スプリングは矢印によって付勢方向のみを示す。）によって時計廻りに付勢されている。この先羽根鉄片レバー８の先端には図面上で手前側に向かって係合ピン８ａが形成されており，この係合ピン８ａは図１に示す先羽根連結レバー３と係合している。従って，先羽根鉄片レバー８がスプリング９によって回転すると先羽根連結レバー３もこれに係合されて時計廻りに回転する。この先羽根鉄片レバー８の時計廻りの回転動作はセットディスク１０或いは先羽根マグネット１１によって規制されている。
【００１１】
先ず，セットディスク１０に関して説明する。セットディスク１０は地板上の軸１ｅによって回動自在に支持されるとともにスプリング１２によって反時計廻りに付勢されている。このセットディスク１０にはセット力を受け入れる為の動力導入アーム１０ａが形成されており，この動力導入アーム１０ａはカメラボディー側のセット部材１３によって下側に押さえ込まれている。尚，ここでカメラボディ側とはシャッタ地板１上の部材でないという意味であり，セット部材１３は例えば図外のモータ等によって上下に駆動され，セット状態では図２に示す位置で図外の係止機構によって係止されて停止しており，係止解除されることにより図面上で上方に退避する様に構成されている。そしてセットディスク１０に形成された先羽根セットアーム１０ｂは先羽根鉄片レバー８に形成されたセットカム８ｂを押して先羽根鉄片レバー８を初期位置でホールドする。次に，先羽根マグネット１１に関して説明すると先羽根マグネット１１は鉄心及びコイルを有する電磁石で構成される。先羽根鉄片レバー８の裏面には支持プレート８ｃが形成され，この支持プレート８ｃの裏側に鉄片８ｄが若干の遊びを保って保持されている。そして先羽根マグネット１１を励磁すると鉄片８ｄが先羽根マグネット１１に磁着され，先羽根鉄片レバー８は初期位置でホールドされる。
【００１２】
次に，１４は後羽根鉄片レバーであり，後羽根連結レバー６と同じ軸１ｃに回動自在に支持されており，スプリング１５によって時計廻りに付勢されている。この後羽根鉄片レバー１４の先端には図面上で手前側に向かって係合ピン１４ａが形成されており，この係合ピン１４ａは図１に示す後羽根連結レバー６と係合している。従って，後羽根鉄片レバー１４がスプリング１５によって回転すると後羽根連結レバー６もこれに係合されて時計廻りに回転する。この後羽根鉄片レバー１４の時計廻りの回転動作はセットディスク１０或いは後羽根マグネット１６によって規制されている。
【００１３】
そしてセットディスク１０に形成された後羽根セットアーム１０ｃは後羽根鉄片レバー１４に形成されたセットカム１４ｂを押して後羽根鉄片レバー１４を初期位置でホールドする。又，後羽根マグネット１６も鉄心及びコイルを有する電磁石で構成される。後羽根鉄片レバー１４の裏面には支持プレート１４ｃが形成され，この支持プレート１４ｃの裏側に鉄片１４ｄが若干の遊びを保って保持されている。そして後羽根マグネット１６を励磁すると鉄片１４ｄが後羽根マグネット１６に磁着され，後羽根鉄片レバー１４は初期位置でホールドされる。又，１７は羽根位置検出用のフォトインタラプタであり，遮蔽認識手段の一例となるものである。
【００１４】
次に，図３は制御系のブロック図であり，１１及び１６は既述のマグネット，１７は既述のフォトインタラプタ，Ｑ１，Ｑ２，Ｑ３はスイッチング用のトランジスタ，Ｒ１，Ｒ２，Ｒ３，Ｒ４は抵抗を各々示し，フォトインタラプタ１７は発光ダイオード１７ａ及びフォトトランジスタ１７ｂを有している。又，１８は撮影用レンズ，１９は撮像手段の一例たるＣＣＤ，２０はレンズ検出手段の一例たるレンズ検出センサを示し，レンズ検出センサ２０はレンズ１８が周知のレンズマウント部に装着されたことを検出することが可能な限りその構造は問わない。２１はＣＣＤ１９から得られた画像データを蓄積記憶する画像データ記憶手段の一例たる画像メモリであり，画像データを記憶することができる限り例えばメモリカードやディスク類等周知の媒体を使用することができる。２２はＣＣＤ１９から得られた画像データを表示する画像表示手段の一例たる液晶表示装置，２３はレリーズスイッチ，２４は被写界輝度を測定する周知の測光装置を各々示し，測光装置２４はＣＣＤ１９の出力レベルの測定により置き換えることができる。又，２６は全体の制御を行う制御装置を各々示す。又，２７はフォトインタラプタ１７に替えて設けることができる羽根検出タイマであり，先羽根２が走行を開始してから先羽根２が撮影光路ＡＰを遮蔽するのに要する時間を設定することによりフォトインタラプタ１７を不要とするものである。更に，２８は露出秒時をセットする露出制御タイマを示している。
【００１５】
次に，上記事項並びに図４乃至図７を参照して上記実施例の動作を説明する。先ず，初期状態において機構は図１に示す状態に置かれている。従って，撮影光路ＡＰは開口しており，ＣＣＤ１９はレンズ１８を通過した被写界光に露呈されている。この状態で図外の電源スイッチがメークすると制御装置２６はＣＣＤ１９が出力する画像データを液晶表示装置２２に表示する。尚，この時の画像データの取り込みは所望によりインタレースとしても良い。さて，この状態でレリーズスイッチ２３の第１ストロークで抵抗Ｒ１のレベルが上昇すると制御装置２６はトランジスタＱ１，Ｑ２，Ｑ３を各々オンするとともにセット部材１３を上方に退避させる。従って，セットディスク１０は図４に示す様にスプリング１２の付勢力によって反時計方向に回転し，セットディスク１０に形成された先羽根セットアーム１０ｂは先羽根鉄片レバー８に形成されたセットカム８ｂを解放するとともに，後羽根セットアーム１０ｃは後羽根鉄片レバー１４に形成されたセットカム１４ｂを解放する。従って先羽根鉄片レバー８はスプリング９の付勢力によって，後羽根鉄片レバー１４はスプリング１５の付勢力によって各々僅かに時計廻りに回転するが，この時点ではトランジスタＱ１，Ｑ２のオンに伴ってマグネット１１，１６がともに励磁されているので，先羽根鉄片レバー８は鉄片８ｄがマグネット１１に磁着され，後羽根鉄片レバー１４は鉄片１４ｄがマグネット１６に磁着されて停止する。図４はこの様に，セットディスク１０が退避した状態を示しており，この時先羽根鉄片レバー８及び後羽根鉄片レバー１４の僅かな回転に伴って双方の連結アーム３，４，６，７も各々の軸１ａ，１ｂ，１ｃ，１ｄを中心に僅かに時計廻りに回転し，先羽根２及び後羽根５は図面上で僅かに下方に走行する。又，この時点で制御装置２６は測光装置２４から被写界輝度情報を読み込み，露出制御タイマ２８に先羽根２を走行開始させてから後羽根５を走行開始させるまでの遅延時間をセットする。又，トランジスタＱ３のオンに伴ってフォトインタラプタ１７を構成する発光ダイオード１７ａが発光してフォトトランジスタ１７ｂが導通し，そのエミッタレベルはＬレベルになる。
【００１６】
さて，レリーズスイッチ２３の第２ストロークで抵抗Ｒ２のレベルが上昇すると制御装置２６はトランジスタＱ１をオフしてマグネット１１を消磁し，露出制御タイマ２８の設定時間が経過したタイミングでトランジスタＱ２をオフしてマグネット１６を消磁する。この時点では先羽根鉄片レバー８及び後羽根鉄片レバー１４共にセットディスク１０から解放されているので，先ず，マグネット１１の消磁に伴って先羽根鉄片レバー８はスプリング９の付勢力によって軸１ａを中心にして時計廻りに回動し，先羽根鉄片レバー８の時計廻りの回動に伴って先羽根連結レバー３は先羽根連結レバー４を伴って時計廻りに回動して，先羽根２を図面上で下方に走行させる。同様に，マグネット１６の消磁に伴って後羽根鉄片レバー１４はスプリング１５の付勢力によって軸１ｃを中心にして時計廻りに回動し，後羽根鉄片レバー１４の時計廻りの回動に伴って後羽根連結レバー６は後羽根連結レバー７を伴って時計廻りに回動して，後羽根３を図面上で下方に走行させる。そして，先羽根２が図５に示す様に撮影光路ＡＰを遮蔽した時点で先羽根２の下端縁がフォトインタラプタ１７の光路を遮光し，フォトトランジスタ１７ｂのエミッタレベルがＨレベルになって制御装置２６に入力される。そして制御装置２６は先羽根２よって撮影光路ＡＰが遮蔽されたことを認識する。尚，先羽根２が走行を開始してから先羽根２が撮影光路ＡＰを遮蔽するのに要する時間を予め測定して羽根検出タイマ２７に設定しておき，先羽根用のマグネット１１を消磁するのと同時に羽根検出タイマ２７を起動すれば，羽根検出タイマ２７のタイムアップ出力をフォトインタラプタ１７の出力に代用することが可能となり，フォトインタラプタ１７やこれに代替される羽根位置検出タイマ２７は撮影光路ＡＰが先羽根２によって遮蔽されたことを認識する遮蔽認識手段として作用する。又，この時先羽根２の上端縁と後羽根５の下端縁の間には露出秒時に対応したスリットが形成される。
【００１７】
さて，この様にして撮影光路ＡＰが先羽根２によって遮蔽されたことを認識すると，制御装置２６はＣＣＤ１９の出力である画像データの画像メモリ２１に対する転送を開始する。尚，本実施例は画像データの画像メモリ２１への転送はノンインタレースモードで行うことを想定している。先羽根２及び後羽根５は各々のスプリング９，１５の付勢力によって引き続き下方に向かって走行しており，先羽根２の上端縁が撮影光路ＡＰの上端縁を通過した時点からＣＣＤ１９は先羽根２の上端縁と後羽根５の下端縁で形成されるスリットを通過した被写界光に露呈され，ＣＣＤ１９が出力する画像データはノンインタレースで画像メモリに蓄積される。尚，図６は先羽根２の上端縁と後羽根５の下端縁で形成されるスリットが撮影光路ＡＰを横切っている状態を示しており，先羽根２及び後羽根５が図７で示す様にアドバンスエンドまで走行した時点で撮影光路ＡＰは後羽根５によって遮蔽される。制御装置２６はフォトインタラプタ１７の出力によって撮影光路ＡＰが遮蔽されたことを認識すると図外の機構によってセット部材１３を下方に向けて駆動し，セットディスク１０はセット部材１３によって動力導入アーム１０ａが押し下げられ，軸１ｅを中心にして時計廻りに回転する。従って，セットディスク１０に形成された先羽根セットアーム１０ｂはセットカム８ｂを押しながら先羽根鉄片レバー８を図１に示す初期位置に向けて反時計方向に回転させ，又後羽根セットアーム１０ｃはセットカム１４ｂを押しながら後羽根鉄片レバー１４を図１に示す初期位置に向けて反時計方向に回転させる。
【００１８】
先羽根鉄片レバー８が図７に示す状態から反時計方向に回転すると，先羽根連結レバー３は先羽根連結レバー４を伴いながら反時計方向に回転して先羽根２を図面上で上方に移動させる。同様に，後羽根鉄片レバ−１４が図７に示す状態から反時計方向に回転すると，後羽根連結レバー６は後羽根連結レバー７を伴いながら反時計方向に回転して後羽根５を図面上で上方に移動させて，図１に示す初期位置に復帰する。この時に図７を参照すると明らかな様に，先羽根２及び後羽根５がアドバンスエンドに到達した状態においては，セットディスク１０に形成された先羽根セットアーム１０ｂと先羽根鉄片レバー８のセットカム８ｂとの間隔はセットディスク１０に形成された後羽根セットアーム１０ｃと後羽根鉄片レバー１４のセットカム１４ｂとの間隔よりも充分に小さいので，図７に示す状態からセットディスク１０が時計方向に回転する際には，先羽根鉄片レバー８の復帰動作が後羽根鉄片レバー１４の復帰動作よりも先行して行われることになる。従って，撮影光路ＡＰが遮蔽された状態が充分に維持されるので，ＣＣＤ１９が出力した画像データを画像メモリ２１に取り込むのに要する時間は十分に確保される。
【００１９】
次に，図１に示す初期状態からレンズ交換の為にレンズ１８が図外のレンズマウントの部分から離脱されるとレンズ検出センサ２０がブレークして抵抗Ｒ４の端子レベルがＬレベルになる。制御装置２６は抵抗Ｒ４の端子レベルがＬレベルになると先羽根マグネット１１及び後羽根マグネット１６を消磁したままでセット部材１３を上方に退避させることによってセットディスク１０を反時計廻りに回転させる。従って，先羽根側及び後羽根側の各々の鉄片レバー８，１４は各々のセットカム８ｂ，１４ｂがセットディスク１０の各々のセットアーム１０ｂ，１０ｃに追従しながら時計方向に回転する。従って，全ての連結レバー３，４，６，７も時計方向に回転して先羽根２及び後羽根５はアドバンスエンドに至り，撮影光路ＡＰは後羽根５によって遮蔽され，ＣＣＤ１９が保護された状態でのレンズ交換が可能となる。
【００２０】
【発明の効果】
以上説明した様に，本発明によれば，高速秒時が得やすくレンズ交換の容易なフォーカルプレーンシャッタを使用しながら，初期状態において撮影光路が開放されているので，撮像手段を被写界光に露呈しておくことが出来，撮像手段から得られた画像データを液晶表示装置等の画像表示手段に表示することが可能となる。又，光学ファインダや光学ファインダに光を導く為のミラーやペンタプリズム等が不要となり，小型化軽量化が容易になるとともに，特にミラーの除去に伴いレンズ設計の自由度が高くなる。又，本発明によると，初期状態では撮像手段は被写界光に露呈されているが，シャッタが作動する過程で撮影光路が先羽根によって遮蔽され，その撮影光路が遮蔽されたタイミングを認識することが出来るので，この撮影光路が遮蔽されたタイミングで画像データの転送先を切り換えることにより，通常のフォーカルプレーンシャッタと同様の露出制御を行うことが出来る。又，レンズの離脱検出に基づいて後羽根により撮影光路を遮蔽する様にした場合にはレンズ交換時に撮像手段が不用意に被写界光に露呈されることを防止することが可能となる。
【図面の簡単な説明】
【図１】本発明の実施例に使用されるフォーカルプレーンシャッタの初期状態における平面図。
【図２】図１に示すフォーカルプレーンシャッタの駆動機構の平面図。
【図３】本発明に係るデジタルスチルカメラの全体構成を示すブロック図。
【図４】図１に示すフォーカルプレーンシャッタのセットディスクを退避させた状態を示す平面図
【図５】図１に示すフォーカルプレーンシャッタで先羽根が撮影光路を遮蔽した状態を示す平面図。
【図６】図１に示すフォーカルプレーンシャッタの露光中の状態を示す平面図。
【図７】図１に示すフォーカルプレーンシャッタをアドバンスエンドまで作動させた状態を示す平面図。
【符号の説明】
ＡＰ  撮影光路
２  先羽根
５  後羽根
１７  フォトインタラプタ
１８  撮影レンズ
１９  ＣＣＤ
２０  レンズ検出センサ
２１  画像メモリ
２２  液晶表示装置
２７  羽根検出タイマ
【図１】
0004060439.tif 000002
【図２】
0004060439.tif 000003
【図３】
0004060439.tif 000004
【図４】
0004060439.tif 000005
【図５】
0004060439.tif 000006
【図６】
0004060439.tif 000007
【図７】
0004060439.tif 000008